(57)【要約】      （修正有）【課題】フィルタリング機能付き電気コネクタを提供する。【解決手段】高速接続部１０、フィルタモジュール２０、マスクシェル３０を含む。高速接続部は、絶縁本体１１と複数の接続端子１２を備え、且つ、フィルタモジュールは、絶縁本体の円形断面の後端に配置され、且つ複数の出力端子２２と複数の接地端子が装着した上蓋２４、及び水平方向に設けられたＰＣＢボード２１を含み、更に、接地端子はＰＣＢボードに電気的に連結された第１連結端末２６１と、第１連結端末と一体に連結した第２連結端末２６２とを有し、第２連結端は上蓋の外表面に貼り付け、同時に、マスクシェルは上蓋の外に覆い、また第２連結端末に応じてねじ穴が開設され、次に、第２連結端末にしっかりと圧着されるように、ロックネジ３３がねじ穴に螺入することで、ＰＣＢボードをそれらの接地端子２６、更にロックネジを通じて、マスクシェルと電気的に連結して接地遮蔽する。そうすると、ノイズ耐性の増加と高速伝送に対する適応を実現できる。【選択図】図２
0003218947.tif 000002
【実用新案登録請求の範囲】
【請求項１】
フィルタリング機能付き電気コネクタであって、円形断面であり、且つ複数の貫通穴（１１１）を有する絶縁本体（１１）と、それぞれ対応する前記貫通穴（１１１）の中に設けた複数の接続端子（１２）と、該絶縁本体（１１）の円形断面から後ろに延伸してから下部に曲げて形成した複数の溶接端末（１２１）とを備えた絶縁本体（１１）を含む高速接続部（１０）と、
前記絶縁本体（１１）の円形断面の後端に配置され、且つ複数の出力端子（２２）と少なくとも一つの接地端子（２６）が装着した上蓋（２４）、及び該出力端子（２２）と該接地端子（２６）を電気的に連結する水平方向に設けられたＰＣＢボード（２１）を含むフィルタモジュール（２０）と、
該絶縁本体（１１）の円形断面と該フィルタモジュール（２０）を覆うマスクシェル（３０）とを含み、
該ＰＣＢボード（２１）に複数の電子部品（２３）を設け、
該出力端子（２２）は、該マスクシェル（３０）の底面から伸び出し、
該接地端子（２６）は、該ＰＣＢボード（２１）に電気的に連結された第１連結端末（２６１）と、該第１連結端末（２６１）と一体に連結した第２連結端末（２６２）とを有し、
前記第２連結端（２６２）は、該上蓋（２４）の外表面に貼り付け、
該マスクシェル（３０）は該上蓋（２４）の外を覆い、
第２連結端末（２６２）に応じてねじ穴（６０）が開設され、
該第２連結端末（２６２）にしっかりと圧着されるように、ロックネジ（３３）を該ねじ穴（６０）の中に螺入し、
該接地端子（２６）は該ロックネジ（３３）を通じて、該マスクシェル（３０）と電気的に連結されるような構成とした、ことを特徴とする、
フィルタリング機能付き電気コネクタ。
【請求項２】
前記上蓋（２４）の外表面に、該接地端子（２６）の該第２連結端末（２６２）に対応する位置に少なくとも１つの端子スロット（２４４）が配置され、且つ該第２連結端末（２６２）は該端子スロット（２４４）の中に収納されることを特徴とする請求項１に記載のフィルタリング機能付き電気コネクタ。
【請求項３】
前記高速接続部（１０）は、Ｍ１２標準コネクタを含むことを特徴とする請求項１に記載のフィルタリング機能付き電気コネクタ。
【請求項４】
前記絶縁本体（１１）の円形断面は、その縁にフレーム本体（１１２）が一体的に成型されたことを特徴とする請求項１に記載のフィルタリング機能付き電気コネクタ。
【請求項５】
前記フィルタモジュール（２０）の該上蓋（２４）は、該フレーム本体（１１２）と嵌合される他、該出力端子（２２）が該上蓋（２４）に着設され、そのうち、該上蓋（２４）の前端にまた、該溶接端末（１２１）と対応する割れ目（２４３）が開設され、且つ該溶接端末（１２１）は該割れ目（２４３）によって該上蓋（２４）の中に延伸し、且つ該溶接端末（１２１）と該出力端子（２２）は該上蓋（２４）の底面と垂直になると同時に、該ＰＣＢボード（２１）と電気的に連結されることを特徴とする請求項４に記載のフィルタリング機能付き電気コネクタ。
【請求項６】
該フレーム本体（１１２）の両側には、それぞれスロット（１１３）が設けられ、該上蓋（２４）の前端の両側に該スロット（１１３）と対応してそれぞれ位置決め部（２４２）が配置され、且つ該位置決め部（２４２）は該スロット（１１３）の中に嵌め込まれることを特徴とする請求項５に記載のフィルタリング機能付き電気コネクタ。
【請求項７】
前記出力端子は、該上蓋（２４）の前端の両側に配置された複数のＰＯＥ端子（２２１）を含むことを特徴とする請求項５に記載のフィルタリング機能付き電気コネクタ。
【請求項８】
該上蓋（２４）の底部には、該ＰＣＢボード（２１）における該電子部品（２３）を収納するための収納キャビティ（２４１）が上向きに凹設されたことを特徴とする請求項５に記載のフィルタリング機能付き電気コネクタ。
【請求項９】
該フィルタモジュール（２０）は、該上蓋（２４）の底部に着設されたベース（２５）を含み、前記ＰＣＢボード（２１）は該ベース（２５）と該上蓋（２４）との間に介設され、該出力端子（２２）は該ベース（２５）の底面から伸び出したことを特徴とする請求項１に記載のフィルタリング機能付き電気コネクタ。
【請求項１０】
前記マスクシェル（３０）は、前シェル（３１）と後蓋（３２）を含み、前記後蓋（３２）は該前シェル（３１）の後端開口を覆い被せ、該前シェル（３１）は該ロックネジ（３３）によって、該後蓋（３２）と固定的に連結されたことを特徴とする請求項１に記載のフィルタリング機能付き電気コネクタ。
【考案の詳細な説明】
【技術分野】
【０００１】
本考案は電気コネクタ技術分野に関し、特にフィルタリング機能付き電気コネクタを開示する。
【背景技術】
【０００２】
従来の電気コネクタ、例えばＭ８コネクタやＭ１２コネクタなどは、主にプラスチック絶縁体と複数の端子で構成した純粋なメカニズムコネクタであって、低周波信号の伝送しか利用できないため、高周波信号を伝送する時には、信号の安定性が損なわれ、信号の品質が破壊される可能性がある。しかしながら、高周波信号は、特定のニーズの下で装置間で伝送されなければならない。
従来採用した解決方法として、回路基板にフィルタリング機能などを持つ電子部品を配置することが多いが、このような設計によって、装置の内部スペースを占有することが必然となり、装置の回路レイアウトにも更なる影響を与えてしまう。
以上より、電気コネクタの小型化を確保する上、簡単な構造と製造の容易さを図るために、いかにしてフィルタリング機能付き電子モジュールを電気コネクタに合理的に整合させるかが当業者が解決しようとする課題であった。
【考案の概要】
【考案が解決しようとする課題】
【０００３】
以上より、本考案は、従来技術にある不足に対して、電気コネクタの小型化、簡単の構造と製造の容易さを確保できると同時に、フィルタリング機能も有し、更に、従来の電気コネクタの構造が複雑で、占めるスペースが大きくて電気的な連結が不確実であるという課題を効果的に解決することができるフィルタリング機能付き電気コネクタの提供を主要目的としている。
【課題を解決するための手段】
【０００４】
本考案の上記主要目的を実現するために、本願の考案者は、フィルタリング機能付き電気コネクタの一つの実施例を提供する。
高速接続部は、円形断面であり、且つ複数の貫通穴を有する絶縁体と、それぞれ対応する前記貫通穴の中に設けた複数の接続端子と、該絶縁本体の円形断面から後ろに延伸してから下部に曲げて形成した複数の溶接端末とを備えた絶縁本体を含み、フィルタモジュールは、前記絶縁本体の円形断面の後端に配置され、且つ複数の出力端子と少なくとも一つの接地端子が装着した上蓋、及び該出力端子と該接地端子を電気的に連結する水平方向に設けられたＰＣＢボードを含み、マスクシェルは、該絶縁本体の円形断面と該フィルタモジュールを覆い、そのうち、該ＰＣＢボードに複数の電子部品が設け、且つ該出力端子は、該マスクシェルの底面から伸び出し、そのうち、該接地端子は、該ＰＣＢボードに電気的に連結された第１連結端末と、該第１連結端末と一体に連結した第２連結端末とを有し、前記第２連結端は、該上蓋の外表面に貼り付け、そのうち、該マスクシェルは該上蓋の外に覆い、また第２連結端末に応じてねじ穴が開設され、そのうち、該第２連結端末にしっかりと圧着されるように、ロックネジを該ねじ穴の中に螺入し、該接地端子は該ロックネジを通じて、該マスクシェルと電気的に連結されるような構成とした、フィルタリング機能付き電気コネクタである。
【０００５】
本考案は、従来技術と比べると、著しい利点と効果を持つ。
具体的には、上記技術形態から見ると、本考案の技術様態は、それらの電子部品を電気的に連結する該ＰＣＢボードを電気コネクタの中に水平方向に配置し、且つ前記連結端子と前記出力端子とも該ＰＣＢボードに電気的に連結することにより、ノイズ耐性の増加と高速伝送に対する適応が図られる他、更に電気コネクタの小型化も確保可能になり、これによって、本考案は簡単でコンパクトな構造、製造の容易さ、及び低いコストなどのいくつかの利点を有する。
【０００６】
上述したように、本考案の技術はまた、前記接地端子の第１連結端末が該ＰＣＢボードに電気的に連結され、前記第２連結端が該上蓋の外表面に貼り付け、更に、該マスクシェルが該上蓋の外に覆い、また第２連結端末に応じてねじ穴が開設される。尚、該第２連結端末にしっかりと圧着されるように、該ロックネジが該ねじ穴に螺入され、該接地端子は、更に該ロックネジを通じて、該マスクシェルと電気的に連結されることにより、従来の電気コネクタが採用する接地方法の構造が複雑で、占めるスペースが大きくて、電気的な連結が不確実であるという課題を効果的に解決した。
【図面の簡単な説明】
【０００７】
【図１】本考案のフィルタリング機能付き電気コネクタを示す組立図である。
【図２】本考案のフィルタリング機能付き電気コネクタを示す第１分解図である。
【図３】本考案のフィルタリング機能付き電気コネクタを示す第２分解図である。
【図４】図３の部分的組立図である。
【図５】図４の部分的組立図である。
【図６】図５の部分的組立図である。
【図７】図６の部分的組立図である。
【図８】図７の部分的組立図である。
【図９】本考案のフィルタリング機能付き電気コネクタを示す第１断面図である。
【図１０】本考案のフィルタリング機能付き電気コネクタを示す第２断面図である。
【図１１】本考案案のフィルタリング機能付き電気コネクタを示す第３断面図である。
【考案を実施するための形態】
【０００８】
本考案実施例の予定の目的を達成するように採用した技術的解決手段と効果をさらに詳述するために、図面と好ましい実施例を結合しながら、本考案の実施例が提出した移動端末の具体的実施様態、構造、特徴、及びその効果を以下に詳細に説明する。
【０００９】
図１から図１１を参照する。
そのうち、図１は、本考案のフィルタリング機能付き電気コネクタを示す組立図で、図２は、本考案のフィルタリング機能付き電気コネクタを示す第１分解図で、図３は、本考案のフィルタリング機能付き電気コネクタを示す第２分解図で、図４は、図３の部分的組立図で、図５は、図４の部分的組立図で、図６は、図５の部分的組立図で、図７は、図６の部分的組立図で、図８は、図７の部分的組立図で、図９は、本考案のフィルタリング機能付き電気コネクタを示す第１断面図で、図１０は、本考案のフィルタリング機能付き電気コネクタを示す第２断面図で、及び図１１は、本考案のフィルタリング機能付き電気コネクタを示す第３断面図である。
【００１０】
本考案に関する上記組立図、分解図や断面図に示すように、本考案は、高速接続部１０、フィルタモジュール２０とマスクシェル３０から構成される。
前記高速接続部１０は該フィルタモジュール２０に電気的に連結され、且つ、前記マスクシェル３０は該高速接続部１０と該フィルタモジュール２０との外部に覆うことを特徴とするフィルタリング機能付き電気コネクタ（下記では、電気コネクタを略称する）である。
【００１１】
上述したように、前記高速接続部１０は、複数の貫通穴１１１を備え、且つその一端が円形断面であり、前記円形断面の縁にフレーム本体１１２が一体成型された絶縁本体１１と、対応する前記貫通穴１１１の中に設けられ、且つ該絶縁本体１１の円形断面から後ろに延伸してから、下に曲げて複数の溶接端末１２１を形成した複数の連結端子１２とを含む。
本実施例において、該高速接続部１０はＭ１２標準コネクタを含み、且つ該フレーム本体１１２は前記絶縁本体１１の後端に位置し、また、その両側にそれぞれ一つのスロット１１３が設けられる。
【００１２】
上述したように、該フィルタモジュール２０は、前記絶縁本体１１の円形断面の後端に配置され、更に水平方向に設置したＰＣＢボード２１と、複数の出力端子２２と一つの接地端子２６が装着された上蓋２４とを含む。
そのうち、前記ＰＣＢボード２１は、それらの出力端子２２と該接地端子２６と電気的に連結され、且つ前記溶接端末１２１も該ＰＣＢボード２１と電気的に連結される。
【００１３】
より詳細には、該ＰＣＢボード２１に複数の電子部品２３が設けられ、且つ、該上蓋２４の底部に収納キャビティ２４１が上向きに凹設され、該上蓋２４は前記フレーム本体１１２と嵌合される他、その前端の両側にまた、前記フレーム本体１１２の両側と対応するスロット１１３にそれぞれ、位置決め部２４２が前記スロット１１３の中に嵌め込むように、設けられる。
【００１４】
本実施例では、該ＰＣＢボード２１におけるそれらの電子部品２３は、該収納キャビティ２４１の中に収納され、且つ該複数の出力端子２２は、該上蓋２４に着設される他、該上蓋２４の前端の両側に設けられた複数のＰＯＥ端子２２１を有し、更に詳細に言うと、前記上蓋２４の前端の両側にそれぞれ二本のＰＯＥ端子２２１が設けられる。
【００１５】
また、前記上蓋２４の前端の中部に該溶接端末１２１と対応する割れ目２４３が開設され、該溶接端末１２１は該割れ目２４３を通じて、該上蓋２４の中まで延伸し、それに該出力端子２２と共に該上蓋２４の底面と垂直となる。
更に、該フィルタモジュール２０はまた、該上蓋２４の底部に着設されたベース２５を含み、該ＰＣＢボード２１は該ベース２５と該上蓋２４との間に挟装され、該出力端子２２は該ベース２５の底面から伸び出す。
【００１６】
もう一方、該マスクシェル３０は、前記絶縁本体１１の円形断面と前記フィルタモジュール２０を覆い、且つ該出力端子２２は該マスクシェル３０の底面から伸び出す。該マスクシェル３０は、シェル本体の収納キャビティ３０１を有し、その前側に該シェル本体の収納キャビティ３０１と連通する開孔３０２が配置した前シェル３１と、該シェル本体の収納キャビティ３０１の後端開口を覆い被せる。
また、ロックネジ３３によって該前シェル３１と固定的連結された後蓋３２とを含み、前記マスクシェル３０の前端には、更にナット部材４０が螺合される。
【００１７】
上述したように、該接地端子２６は、該ＰＣＢボード２１と電気的に連結された第１連結端末２６１と、該第１連結端末２６１と一体的連結され、該上蓋２４の外表面に貼り付けた第２連結端末２６２とを含む。また、該マスクシェル３０は該上蓋２４の外に覆い、且つ前記第２連結端末２６２と対応する位置には、ねじ穴６０が開設され、更に、該ロックネジ３３は、接地端子２６の該第２連結端末２６２にしっかりと圧着されるように、該ねじ穴６０の中に螺入され、且つ該接地端子２６は該ロックネジ３３によって、該マスクシェル３０と電気的に連結される。
【００１８】
本考案技術においては、該上蓋２４の外表面に、接地端子２６の第２連結端末２６２と対応する位置に、少なくとも一つの端子スロット２４４が設けられると共に、該第２連結端末２６２は、該端子スロット２４４の中に収納されることで、該マスクシェル３０をより平坦にさせ、且つ該ロックネジ３３を締める時にアーチ状に曲げられることを避ける。
【００１９】
図１から図１１までを更に参照する。
図に示すように、本考案のフィルタリング機能付き電気コネクタは、まず、該出力端子２２と接地端子２６を該上蓋２４に設け、次に、該出力端子２２と接地端子２６を該ＰＣＢボード２１に溶接して伝導させ、上記ステップ完了後、更に該出力端子２２を装着した該上蓋２４を該高速接続部１０の円形断面の後端に組み立てる。そして、前記上蓋２４の位置決め部２４２を該高速接続部１０のフレーム本体１１２におけるスロット１１３の中に嵌め込んで、前記複数の連結端子１２の溶接端末１２１は該上蓋２４の割れ目２４３を通じて、該上蓋２４の中に延伸することで、該連結端子１２を該絶縁本体１１に組み立て、該絶縁本体１１を更に該上蓋２４と突き合わせて固定するような工程で組み立てられる。
【００２０】
次に、複数の電子部品２３と電気的に連結された該ＰＣＢボード２１は、該上蓋２４の底部に水平に配置され、且つ前記複数の溶接端末１２１と複数の出力端子２２はそれぞれ前記ＰＣＢボード２１と電気的に連結され、その後、該ベース２５を該上蓋２４の底部に嵌め込んで、前記ＰＣＢボード２１は上記両方の間に介設されると同時に、前記複数の出力端子２２は該ベース２５の底面から伸び出す。
【００２１】
更に、複数のシリコンガスケット５０を前記高速接続部１０の中部に嵌合した後、また該高速接続部１０にて前から後ろへ、前記高速接続部１０の円形断面、前記上蓋２４と前記ベース２５を覆う前記前シェル３１を組み立てる。それにより、該後蓋３２は該前シェル３１の後端に覆設され、且つ前記ロックネジ３３によって固定され、前記複数の出力端子２２は前記前シェル３１と前記後蓋３２の底部から伸び出し、且つ該高速接続部１０の前端に該シリコンガスケット５０を嵌合する。
【００２２】
最後に、ロックネジ３３を該ねじ穴６０の中に締めて該接地端子２６における該第２連結端末２６２にしっかりと圧着されるようにし、該接地端子２６は該ロックネジ３３によって、該マスクシェル３０と電気的に連結される。そうすると、本考案のフィルタリング機能付き電気コネクタの組立工程は完了する。
【００２３】
本考案の技術的重点は、該電子部品を電気的に連結する該ＰＣＢボードを電気コネクタの中に水平方向に配置し、且つ前記連結端子と前記出力端子とも該ＰＣＢボードに電気的に連結することにより、ノイズ耐性の増加と高速伝送に対する適応が図られる他、更に電気コネクタの小型化も確保可能になり、これによって、本考案は簡単でコンパクトな構造、製造の容易さ、及び低いコストなどのいくつかの利点を有することにある。
【００２４】
また、本考案のもう一つの技術的重点は、前記接地端子の第１連結端末を該ＰＣＢボードに電気的に連結し、前記第２連結端を該上蓋の外表面に貼り付け、更に、該マスクシェルが該上蓋の外に覆い、また第２連結端末に応じてねじ穴を開設し、該第２連結端末にしっかりと圧着されるように、該ロックネジを該ねじ穴に螺入し、該接地端子を、更に該ロックネジを通じて、該マスクシェルと電気的に連結することにより、従来の電気コネクタが採用する接地方法の構造が複雑で、占めるスペースが大きくて、電気的な連結が不確実であるという課題を効果的に解決したことにある。
【００２５】
以下は、本考案に関する好ましい実施例にすぎず、本考案の技術範囲がそれらに制限されるわけではない。本考案の技術実質を基礎にした、上記実施例に対する何れかの小修正、同等な変更や修飾は、全部本考案の保護範囲に含まれる。
【符号の説明】
【００２６】
１０  高速接続部
１１  絶縁本体
１１１  貫通穴
１１２  フレーム本体
１１３  スロット
１２  接続端子
１２１  溶接端末
２０  フィルタモジュール
２１  ＰＣＢボード
２２  出力端子
２２１  ＰＯＥ端子
２３  電子部品
２４  上蓋
２４１  収納キャビティ
２４２  位置決め部
２４３  割れ目
２４４  端子スロット
２５  ベース
２６  接地端子
２６１  第１連結端末
２６２  第２連結端末
３０  マスクシェル
３０１  シェル本体収納キャビティ
３０２  開孔
３１  前シェル
３２  後蓋
３３  ロックネジ
４０  ナット部材
５０  シリコンガスケット
６０  ねじ穴
【図１】
0003218947.tif 000003
【図２】
0003218947.tif 000004
【図３】
0003218947.tif 000005
【図４】
0003218947.tif 000006
【図５】
0003218947.tif 000007
【図６】
0003218947.tif 000008
【図７】
0003218947.tif 000009
【図８】
0003218947.tif 000010
【図９】
0003218947.tif 000011
【図１０】
0003218947.tif 000012
【図１１】
0003218947.tif 000013